(57)【特許請求の範囲】
【請求項１】
マルチバンドかつダイバーシチ受信が可能な無線端末であって、
複数の受信アンテナと、複数の受信装置と、前記受信アンテナと前記受信装置との接続を切り替える第１スイッチ手段と、前記受信装置とその後段に接続される装置との接続を切り替える第２スイッチ手段と、マルチバンド動作かあるいはダイバーシチ動作かに応じて前記第１および第２スイッチ手段ならびに前記受信装置を切り替える切り替え制御手段とを含み、
さらに運用バンドの識別情報、ダイバーシチ制御するか否かの情報、前記受信装置の電源を入れるか否かの電源制御情報および前記受信アンテナの選択情報が記録されたレジスタが設けられ、
前記切り替え制御手段は前記レジスタを参照して前記第１および第２スイッチ手段ならびに前記受信装置を制御することを特徴とする無線端末であり、
各々の受信装置と対で使用される複数の送信装置と、前記第１スイッチ手段と受信装置および送信装置の対との間に接続される複数のデュプレクサとが含まれ、
各々の送信装置の送信周波数は異なり、各々の受信装置の受信周波数は同一であることを特徴とする無線端末。
【請求項２】
前記無線端末はＣＤＭＡ（ｃｏｄｅ  ｄｉｖｉｓｉｏｎ  ｍｕｌｔｉｐｌｅ  ａｃｃｅｓｓ）通信を行う端末であり、前記受信装置の後段に接続される装置はレイク受信部の復調器であることを特徴とする請求項１記載の無線端末。
【請求項３】
前記レジスタに前記情報を設定するＣＰＵ（ｃｅｎｔｒａｌ  ｐｒｏｃｅｓｓｉｎｇ  ｕｎｉｔ）が含まれ、前記ＣＰＵは前記レイク受信部の復調器のオン・オフ制御を行うことを特徴とする請求項２記載の無線端末。
【発明の詳細な説明】
【技術分野】
【０００１】
本発明は、無線端末に関し、特にマルチバンドかつダイバーシチ受信に対応した無線端末に関する。
【背景技術】
【０００２】
年々、無線端末、一例として携帯端末においては高データレート対応化の要求が高まっている。これに対応するためにダイバーシチ受信は有効であるため検討がなされている。一方で、ユーザー数の増加による周波数の逼迫や国際ローミングの需要によりマルチバンド対応も必須となっている。こうした中で、無線回路規模の肥大化が課題となっている。
【０００３】
図５は従来の携帯端末の一例の構成図である。同図を参照すると、従来の携帯端末２００は、アンテナ２０１，２０２と、アンテナスイッチ２０３と、デュプレクサＡ２０４と、バンドパスフィルタ（ＢＰＦ）２０５と、送信回路Ａ２０６と、第１受信回路２０８と、第２受信回路２０９と、無線ＩＣ（ｉｎｔｅｇｒａｔｅｄ  ｃｉｒｃｕｉｔ）２１５と、レイク受信部２１９と、ＣＰＵ（ｃｅｎｔｒａｌ  ｐｒｏｃｅｓｓｉｎｇ  ｕｎｉｔ）２２０とを含んで構成される。
【０００４】
また、アンテナスイッチ２０３は４個のスイッチＳＷ１〜４を含んで構成され、無線ＩＣ２１５はミキサ２１０，２１１と、アナログベースバンド部２１２，２１３と、制御回路２１４と、レジスタ２２１とを含んで構成され、レイク受信部２１９は１系復調器（ｄｅｍｏｄｕｌａｔｏｒ）２１６と、２系復調器２１７と、合成器２１８とを含んで構成される。
【０００５】
この携帯端末２００は、説明のため運用周波数バンドＡのみのシングルバンドのダイバーシチ受信に対応している。高データレート対応化のため受信回路系の一方（バンドパスフィルタ２０５、第２受信回路２０９等）はダイバーシチ専用として追加したものである。すなわち、デュプレクサの替わりにバンドパスフィルタ２０５を使用している。また、アナログベースバンド部２１３の出力は必然的に２系専用の受信データとして扱われ、２系復調器２１７に入力されるため、無線ＩＣ２１５は後述する図１に示すスイッチ１１４を持たない。
【０００６】
また、１系復調器２１６と２系復調器２１７はダイバーシチ効果や回路規模、消費電流等を勘案して最適な実装がなされるため、必ずしも同一の回路構成にはならない。その場合、２系復調器２１７がダイバーシチ受信時に動作するものとしてソフトウエアも設計すればよい。
【０００７】
図６は従来の携帯端末の他の一例の構成図である。同図を参照すると、従来の携帯端末３００は、アンテナ３０１，３０２と、アンテナスイッチ３０３と、デュプレクサＡ３０４と、デュプレクサＢ３２２と、バンドパスフィルタ３０５と、送信回路Ａ３０６と、第１受信回路３０８と、送信回路Ｂ３０７と、第１受信回路３２４と、第２受信回路３０９と、無線ＩＣ３１５と、レイク受信部３１９と、ＣＰＵ３２０とを含んで構成される。
【０００８】
また、アンテナスイッチ３０３は６個のスイッチＳＷ１〜６を含んで構成され、無線ＩＣ３１５はミキサ３１０、３１１、３２５と、アナログベースバンド部３１２、３１３と、制御回路３２２と、レジスタ３２１とを含んで構成され、レイク受信部３１９は１系復調器３１６と、２系復調器３１７と、合成器３１８とを含んで構成される。
【０００９】
同図に示す携帯端末３００は、図５の構成にさらに運用周波数バンドＢを追加してマルチバンド対応させた従来例を示している。この例では、増えた周波数バンドの分だけ無線部品を追加し、ベースバンド部は図５の携帯端末２００と共通化を図っている。ベースバンド部はＲＦ周波数を意識する必要が無いため、ベースバンドの制御方法まで含めて共通化したほうが開発コストの削減効果が大きいためである。
【００１０】
一方、複数のアンテナ、複数の受信部およびレジスタ変換部を備え、レジスタ変換部に周波数情報を格納し、アンテナおよび受信部がマルチバンド受信を行う無線端末が開示されている（特許文献１参照）。
【００１１】
また、複数のアンテナと複数の受信系を備え、受信状態検出情報からダイバーシチ回路がダイバーシチ動作制御情報を出力し、アンテナおよび周波数を切り替えるダイバーシチ受信装置が開示されている（特許文献２参照）。
【００１２】
また、２つのＩ／Ｑデータを切り替えるスイッチを備えるラジオリンクターミナルが開示されている（特許文献３参照）。
【００１３】
【特許文献１】特開２００４−２７４０９７号公報（段落００１７〜００２１、図１）
【特許文献２】特開平１０−３０３７９３号公報（段落００２４、００２７、図１）
【特許文献３】特表平０９−５０７００４号公報（第8 頁第９行〜第９頁第５行、図２）
【発明の開示】
【発明が解決しようとする課題】
【００１４】
アンテナ合成方式によるダイバーシチ受信機は、ベースバンド部を拡張して複数系統用意し、これに指向性の異なるアンテナと受信ＲＦ回路を各ベースバンド部に割り当てることにより実現できる。しかし、あらゆる周波数の組み合わせに対応させるためにマルチバンド化した場合には、基本的に増えたバンドの数だけＲＦ回路を増加させる必要があり、このため無線部分のコストおよび実装面積の増加を招くという課題がある。
【００１５】
一方、上記特許文献１〜３のいずれにも、マルチバンドかつダイバーシチ受信が可能な無線端末におけるアンテナ切り替え機構は開示されていない。
【００１６】
そこで本発明の目的は、無線部分のコストおよび実装面積の削減が可能なマルチバンドかつダイバーシチ受信に対応した無線端末を提供することにある。
【課題を解決するための手段】
【００１７】
前記課題を解決するために本発明による無線端末は、マルチバンドかつダイバーシチ受信が可能な無線端末であって、複数の受信アンテナと、複数の受信装置と、前記受信アンテナと前記受信装置との接続を切り替える第１スイッチ手段と、前記受信装置とその後段に接続される装置との接続を切り替える第２スイッチ手段と、マルチバンド動作かあるいはダイバーシチ動作かに応じて前記第１および第２スイッチ手段ならびに前記受信装置を切り替える切り替え制御手段とを含み、
さらに運用バンドの識別情報、ダイバーシチ制御するか否かの情報、前記受信装置の電源を入れるか否かの電源制御情報および前記受信アンテナの選択情報が記録されたレジスタが設けられ、前記切り替え制御手段は前記レジスタを参照して前記第１および第２スイッチ手段ならびに前記受信装置を制御することを特徴とする無線端末であり、各々の受信装置と対で使用される複数の送信装置と、前記第１スイッチ手段と受信装置および送信装置の対との間に接続される複数のデュプレクサとが含まれ、各々の送信装置の送信周波数は異なり、各々の受信装置の受信周波数は同一であることを特徴とする。
【００１８】
ここで、本発明の作用を述べる。本発明による無線端末は、無線部とベースバンドのインターフェイスにおいて、無線部から出力される２系統の受信Ｉ／Ｑデータを、無線ＩＣのレジスタ設定に応じて、第１ベースバンド部とダイバーシチ用の第２ベースバンド部に自在に割り当てられるようにする。このとき、第１ベースバンド部にＩ／Ｑデータを出力している受信回路を受信レベルの高いほうのアンテナに、他方の受信回路を受信レベルの低いほうのアンテナに接続するようにアンテナ切り替え制御を行う。
【発明の効果】
【００１９】
本発明によれば、上記構成を含むことにより、無線部分のコストおよび実装面積の削減が可能なマルチバンドかつダイバーシチ受信に対応した無線端末が得られる。
【発明を実施するための最良の形態】
【００２０】
以下、本発明の実施例について、添付図面を参照しながら説明する。図１は本発明に係る無線端末の一例の構成図である。この無線端末は一例としてマルチバンドかつダイバーシチ受信に対応した携帯端末であり、特に１種類の下り周波数帯に２種類の上り周波数帯を対応させた複数のデュプレクサを含む携帯端末である。また、この無線端末は一例としてＣＤＭＡ（ｃｏｄｅ  ｄｉｖｉｓｉｏｎ  ｍｕｌｔｉｐｌｅ  ａｃｃｅｓｓ）通信を行う端末である。
【００２１】
図１は本発明に係る携帯端末の一例の構成図である。同図を参照すると、本発明に係る携帯端末１００は、アンテナ１０１，１０２と、アンテナスイッチ１０３と、デュプレクサＡ１０４と、デュプレクサＢ１０５と、送信回路Ａ１０６と、第１受信回路１０８と、送信回路Ｂ１０７と、第２受信回路１０９と、無線ＩＣ１１５と、レイク受信部１１９と、ＣＰＵ１２０とを含んで構成される。
【００２２】
また、アンテナスイッチ１０３は４個のスイッチＳＷ１〜４を含んで構成され、無線ＩＣ１１５はミキサ１１０、１１１と、アナログベースバンド部１１２、１１３と、スイッチ１１４と、制御回路１２２と、レジスタ１２１とを含んで構成され、レイク受信部１１９は１系復調器１１６と、２系復調器１１７と、合成器１１８とを含んで構成される。
【００２３】
また、無線ＩＣ１１５内のスイッチ１１４は、４個のスイッチＳＷ５〜８を含んで構成される。
【００２４】
また、この携帯端末１００は、送信周波数帯Ｔ１および受信周波数帯Ｒ１の組からなるバンドＡと、送信周波数帯Ｔ２および受信周波数帯Ｒ１の組からなるバンドＢとのデュアルバンド対応とする。周波数帯Ｔ１とＴ２は隣接しない周波数帯でもよいし、元は１つの周波数帯を分割したものであっても良い。
【００２５】
さらに、携帯端末１００はメインアンテナ（アンテナ１０１）とサブアンテナ（アンテナ１０２）の2 本のアンテナを有する。これらのアンテナは、アンテナスイッチ１０３を介してデュプレクサＡ１０４とデュプレクサＢ１０５とに接続されている。
【００２６】
また、アンテナスイッチ１０３は内部にパス切り替え用に４個のスイッチＳＷ１〜４を備え、無線ＩＣ１１５の制御によりバンドＡ側およびバンドＢ側とのアンテナのパスを自在に切り替えることができる。図２にアンテナスイッチ１０３の真理値表の一例を示す。
【００２７】
デュプレクサＡ１０４は周波数Ｔ１の送信回路Ａ１０６と、周波数Ｒ１の第１受信回路１０８とに接続される。デュプレクサＢ１０５は周波数Ｔ２の送信回路Ｂ１０７と、周波数Ｒ１の第１受信回路１０９とに接続される。
【００２８】
送信回路Ａ１０６および送信回路Ｂ１０７はベースバンド信号発生部、Ｄ／Ａコンバータ、フィルタ、直交変調器、可変利得増幅器、パワーアンプ等から構成されているが、これらは本発明と直接関係しないため、その詳細な説明は省略する。
【００２９】
第１受信回路１０８および第２受信回路１０９は、ローノイズアンプ、バンドパスフィルタから構成されているが、これらもまた本発明と直接関係しないため、その詳細な説明は省略する。
【００３０】
第１受信回路１０８および第２受信回路１０９は、無線ＩＣ１１５の第１ミキサ１１０と第２ミキサ１１１とにそれぞれ接続され、ここでＲＦ周波数信号はベースバンド周波数にダウンコンバートされる。
【００３１】
アナログベースバンド部１１２および１１３は、可変利得増幅器、ローパスフィルタ、Ａ／Ｄコンバータ等から構成され、信号の増幅と帯域制限およびアナログからデジタルへの変換を行う。各々のアナログベースバンド部１１２、１１３からは互いに直交したデジタルのベースバンド信号（Ｉ／Ｑ）が出力される。なお、前述の可変利得増幅器、ローパスフィルタ、Ａ／Ｄコンバータ等は本発明と直接関係しないため、その詳細な説明は省略する。
【００３２】
スイッチ１１４は、アナログベースバンド部１１２および１１３から出力された２つのＩ／Ｑ信号をそれぞれどちらのＩＣポートから出力するかを切り替える。図３にスイッチ１１４の真理値表の一例を示す。
【００３３】
また、無線ＩＣ１１５からの出力Ｉ／Ｑ信号は、レイク受信部１１９で逆拡散され、マルチパス分離・合成がなされる。
【００３４】
レイク受信部１１９は、逆拡散・チャネル設定・遅延調整等を行う１系復調器１１６および２系復調器１１７と、合成器１１８とを含んでいる。
【００３５】
ここで、非ダイバーシチ受信時には２系復調器１１７はオフ（ＯＦＦ）される。１系復調器１１６に入力されるＩ／Ｑ信号をＩ／Ｑデータ（１）、２系復調器１１７に入力されるＩ／Ｑ信号をＩ／Ｑデータ（２）とする。
【００３６】
ＣＰＵ１２０は携帯端末１００全体の制御を行う。特に無線ＩＣ１１５に対する制御は、レジスタ１２１に所定のデータ設定を行うことにより行う。
【００３７】
レジスタ１２１には、運用バンド識別情報、ダイバーシチＯＮ／ＯＦＦ制御ビット（ダイバーシチ制御）、パワー制御（電源制御）、アンテナ選択、図示しないＰＬＬ（ｐｈａｓｅ  ｌｏｃｋｅｄ  ｌｏｏｐ）周波数制御情報等が格納されており、制御回路１２２はレジスタ１２１の設定に基づいて、アンテナスイッチ１０３およびスイッチ１１４の制御や、図示しない無線ＩＣ１１５の各ブロックのパワー制御を行う。図４にレジスタ１２１の設定の一例を示す。
【００３８】
次に、図１〜図４を参照しながら携帯端末１００の動作について説明する。
【００３９】
まず、図２のアンテナスイッチ１０３の真理値表について説明する。左側欄の「動作状態」の項目は、ダイバーシチか否か、メインアンテナかサブアンテナか、バンドはＡかＢかの区別を示す。
【００４０】
また、中央欄はそれに対応する「スイッチ入力」を示す。すなわち、スイッチＳＷ１〜４のいずれかを選択するための、スイッチ１０３の図示しない制御端子に入力される２値信号を示し、その２値信号は制御回路１２２から出力される。
【００４１】
また、右側欄の「スイッチ状態」は「スイッチ入力」に対応したスイッチＳＷ１〜４のＯＮ（閉）またはＯＦＦ（開）状態を示している。
【００４２】
次に、図３のスイッチ１１４の真理値表の一例について説明する。左側欄の「動作状態」の「ダイバーシチ」はダイバーシチか否か、「電源」は無線ＩＣ１１５の電源（ミキサ１１０、１１１およびアナログベースバンド部１１２、１１３の全ての電源、すなわち１系および２系アナログベースバンド部の主電源）がＯＮかＯＦＦか、「バンド」はバンドがＡかＢかの区別を示す。
【００４３】
また、中央欄の「受信回路制御」の「第１」は第１受信回路１０８の電源がＯＮかＯＦＦか、「第２」は第２受信回路１０９の電源がＯＮかＯＦＦかを示す。
【００４４】
また、右側欄の「スイッチ状態」はスイッチＳＷ５〜８がＯＮ（閉）かＯＦＦ（開）かを示す。
【００４５】
なお、同図において、「電源」がオフ（ＯＦＦ）の場合は、無線ＩＣ１１５の電源（ミキサ１１０、１１１およびアナログベースバンド部１１２、１１３の全ての電源）がオフとなるので無線ＩＣ１１５の１系および２系アナログベースバンド部の動作は停止状態となる。
【００４６】
また、制御回路１２２は第１受信回路１０８および第２受信回路１０９の電源のＯＮおよびＯＦＦを制御する。さらに、制御回路１２２はミキサ１１０とアナログベースバンド部１１２、およびミキサ１１１とアナログベースバンド部１１３の電源のＯＮおよびＯＦＦを別個に制御する。ただし、これは上記１系および２系アナログベースバンド部の主電源がＯＮとなっていることが前提となる。
【００４７】
以下、説明を簡単にするために、一例として、メインアンテナ（アンテナ１０１）の受信レベルの方がサブアンテナ（アンテナ１０２）の受信レベルよりも常に高いこととする。つまりアンテナ１０１側をメインのブランチとする。
【００４８】
（１）運用バンドＡで非ダイバーシチ動作のとき：
ＣＰＵ１２０はレジスタ１２１に、運用バンド識別情報ビットを“０”、ダイバーシチＯＮ／ＯＦＦ制御ビットを“０”、パワー制御（電源制御）ビットを“１”、アンテナ選択ビットを“０”、送信周波数をｆｔ１、受信周波数をｆｒ１と設定する（図４参照）。
【００４９】
従って、制御回路１２２はスイッチ１１４のＳＷ５とＳＷ８とを“ＯＮ”（閉）とする（図３の３段目参照）。
【００５０】
よって、アナログベースバンド部１１２側のデータがＩ／Ｑデータ（１）として１系復調器１１６に入力される。
【００５１】
また、制御回路１２２は第２受信回路１０９、ミキサ１１１およびアナログベースバンド部１１３の電源を“ＯＦＦ”（開）とする（図３の３段目参照）。
【００５２】
さらに、制御回路１２２はアンテナスイッチ１０３のＳＷ１を“ＯＮ”（閉）とし（図２の１段目参照）、メインアンテナ１０１とデュプレクサＡ１０４とが接続される。
【００５３】
また、ＣＰＵ１２０は２系復調器１１７をオフにする。
【００５４】
（２）運用バンドＡでダイバーシチ動作のとき：
つまり、高速通信時や受信電界が低く、アンテナ切り替え式ダイバーシチでは十分な通信品質が確保できない時、ＣＰＵ１２０はレジスタ１２１のダイバーシチＯＮ／ＯＦＦ制御ビットを“１”と設定する（図４参照）。従って、制御回路１２２は第１受信回路１０８、ミキサ１１０およびアナログベースバンド部１１２の電源とともに第２受信回路１０９、ミキサ１１１およびアナログベースバンド部１１３の電源を“ＯＮ”とし（図３の下から２段目参照）、同時にアンテナスイッチ１０３のＳＷ１とＳＷ４を“ＯＮ”（閉）とし（図２の下から４段目参照）、メインアンテナ１０１とデュプレクサＡ１０４とが接続されるとともに、サブアンテナ１０２とデュプレクサＢ１０５とが接続されるようになる。
【００５５】
また、ＣＰＵ１２０は２系復調器１１７をオンにする。
【００５６】
さらに、制御回路１２２はスイッチ１１４のＳＷ５とＳＷ８とを“ＯＮ”にする。
【００５７】
よって、アナログベースバンド部１１２側のデータがＩ／Ｑデータ（１）として１系復調器１１６に入力され、アナログベースバンド部１１３側のデータがＩ／Ｑデータ（２）として２系復調器１１７に入力される。この２つの復調器の出力は合成器１１８で最大比合成される。
【００５８】
（３）運用バンドＢで非ダイバーシチ動作のとき：
ＣＰＵ１２０はレジスタ１２１に、運用バンド識別情報ビットを“１”、ダイバーシチＯＮ／ＯＦＦ制御ビットを“０”、パワー制御（電源制御）ビットを“１”、アンテナ選択ビットを“０”、送信周波数をｆｔ２、受信周波数をｆｒ１と設定する（図４参照）。
【００５９】
従って、制御回路１２２はスイッチ１１４のＳＷ６とＳＷ７とを“ＯＮ”（閉）とする（図３の４段目参照）。
【００６０】
よって、アナログベースバンド部１１３側のデータがＩ／Ｑデータ（１）として１系復調器１１６に入力される。
【００６１】
また、制御回路１２２は第１受信回路１０８、ミキサ１１０およびアナログベースバンド部１１２の電源を“ＯＦＦ”（開）とする（図３の４段目参照）。
【００６２】
さらに、制御回路１２２はアンテナスイッチ１０３のＳＷ２を“ＯＮ”（閉）とし（図２の２段目参照）、メインアンテナ１０１とデュプレクサＢ１０５とが接続される。
【００６３】
また、ＣＰＵ１２０は２系復調器１１７をオフにする。
【００６４】
（４）運用バンドＢでダイバーシチ動作のとき：
ＣＰＵ１２０はレジスタ１２１のダイバーシチＯＮ／ＯＦＦ制御ビットを“１”と設定する（図４参照）。従って、制御回路１２２は第１受信回路１０８、ミキサ１１０およびアナログベースバンド部１１２の電源とともに第２受信回路１０９、ミキサ１１１およびアナログベースバンド部１１３の電源を“ＯＮ”とし（図３の最下段参照）、同時にアンテナスイッチ１０３のＳＷ２とＳＷ３を“ＯＮ”（閉）とし（図２の下から３段目参照）、メインアンテナ１０１とデュプレクサＢ１０５とが接続されるとともに、サブアンテナ１０２とデュプレクサＡ１０４とが接続されるようになる。
【００６５】
また、ＣＰＵ１２０は２系復調器１１７をオンにする。
【００６６】
さらに、制御回路１２２はスイッチ１１４のＳＷ６とＳＷ７とを“ＯＮ”にする（図３の最下段参照）。
【００６７】
よって、アナログベースバンド部１１３側のデータがＩ／Ｑデータ（１）として１系復調器１１６に入力され、アナログベースバンド部１１２側のデータがＩ／Ｑデータ（２）として２系復調器１１７に入力される。この２つの復調器の出力は合成器１１８で最大比合成される。
【００６８】
以上説明したように、本発明によれば、レイク受信部１１９が運用周波数バンドを意識することなく動作できるため、どのような周波数バンドの組み合わせでマルチバンド化しても、そのためにベースバンドのハードウエアおよびソフトウエアを新規に設計する必要がないため、開発コストを低減させることが可能となる。
【００６９】
また、本発明によれば、無線部とベースバンド部との接続に関する制約が少なくなることにより、ＲＦフロントエンド部の設計の自由度が増加するため、ＲＦ部品点数の削減が可能となる。
【図面の簡単な説明】
【００７０】
【図１】本発明に係る無線端末の一例の構成図である。
【図２】アンテナスイッチ１０３の真理値表の一例を示す図である。
【図３】スイッチ１１４の真理値表の一例を示す図である。
【図４】レジスタ１２１の設定の一例を示す図である。
【図５】従来の携帯端末の一例の構成図である。
【図６】従来の携帯端末の他の一例の構成図である。
【符号の説明】
【００７１】
１〜８  スイッチ（ＳＷ）
１００  携帯端末
１０１，１０２  アンテナ
１０３  アンテナスイッチ
１０４  デュプレクサＡ
１０５  デュプレクサＢ
１０６  送信回路Ａ
１０７  送信回路Ｂ
１０８  第１受信回路
１０９  第２受信回路
１１０，１１１  ミキサ
１１２，１１３  アナログベースバンド部
１１４  スイッチ
１１５  無線ＩＣ
１１６  １系復調器
１１７  ２系復調器
１１９  レイク受信部
１２０  ＣＰＵ
１２１  レジスタ
１２２  制御回路
【図１】
0004706524.tif 000002
【図２】
0004706524.tif 000003
【図３】
0004706524.tif 000004
【図４】
0004706524.tif 000005
【図５】
0004706524.tif 000006
【図６】
0004706524.tif 000007